(57)【要約】【課題】本発明の目的は、ヒドラジド化合物を含み、消臭効果の持続性に優れた消臭剤を提供することである。【解決手段】ヒドラジド化合物及び水と共に、多価アルコール、３−メトキシ−３−メチルブタノール、及び／又はポリオキシエチレンアルキルエーテルを含む消臭剤は、ヒドラジド化合物による消臭効果の持続性を飛躍的に向上し得る。【選択図】なし【特許請求の範囲】
【請求項１】
(A)ヒドラジド化合物、(B)多価アルコール、３−メトキシ−３−メチルブタノール、及びポリオキシエチレンアルキルエーテルからなる群より選択される少なくとも１種、並びに(C)水を含む、消臭剤。
【請求項２】
前記(A)成分が、アセトヒドラジド、コハク酸ジヒドラジド、アジピン酸ジヒドラジド、及びカルボヒドラジドよりなる群から選択される少なくとも１種である、請求項１に記載の消臭剤。
【請求項３】
前記(B)成分が、エチレングリコール、プロピレングリコール、トリエチレングリコール、グリセリン、ブタントリオール、エリトリトール、ペンタエリトリトール、３−メトキシ−３−メチルブタノール、及びポリオキシエチレンアルキルエーテルよりなる群から選択される少なくとも１種である、請求項１又は２に記載の消臭剤。
【請求項４】
吸液性部材に吸液させて使用される、請求項１〜３のいずれかに記載の消臭剤。
【請求項５】
消臭が求められる空間の壁に噴霧又は塗布して使用される、請求項１〜４のいずれかに記載の消臭剤。
【請求項６】
請求項１〜５のいずれかに記載の消臭剤を用いて消臭を行う、消臭方法。
【請求項７】
請求項１〜４のいずれかに記載の消臭剤を収容している消臭剤収容部と、
前記消臭剤収容部から供給された前記消臭剤を吸液し、空間の消臭を行う消臭剤吸液部と、
を有する、消臭装置。
【請求項８】
更に、前記消臭剤収容部から供給された消臭剤を貯留する消臭剤貯留部を有し、
前記消臭剤吸液部が、前記消臭剤貯留部から消臭剤を吸い上げて消臭剤を吸液するように構成されている、請求項７に記載の消臭装置。
【請求項９】
消臭が求められる空間内に請求項７又は８に記載の消臭装置を設置する、消臭方法。
【請求項１０】
前記消臭剤吸液部が乾燥した状態になっても継続使用する、請求項９に記載の消臭方法。
【請求項１１】
ヒドラジド化合物を含む消臭剤の消臭効果の持続性向上方法であって、消臭剤に、(A)ヒドラジド化合物、(B)多価アルコール、３−メトキシ−３−メチルブタノール、及びポリオキシエチレンアルキルエーテルからなる群より選択される少なくとも１種、並びに(C)水を配合することを特徴とする、持続性向上方法。
【発明の詳細な説明】
【技術分野】
【０００１】
本発明は、消臭効果の持続性に優れた消臭剤に関する。
【背景技術】
【０００２】
近年、生活の快適性への要求の高まりと共に、生活空間を快適にする臭気対策のニーズも高まっている。従来、日常生活における臭気対策としては、スプレー型、エアゾール型、据え置き型等の消臭剤を使用して、空間に噴霧したり、揮散させたりする手法が知られている。このような消臭剤では、消臭成分として、ジヒドラジド化合物、アミン化合物等の有機系消臭成分や、ポリフェノール等の植物抽出物が使用されている。
【０００３】
これらの消臭成分の中でも、ヒドラジド化合物は、アルデヒド系やアンモニア系の悪臭に対する消臭効果が優れており、ヒドラジド化合物を含む消臭剤が種々検討されている。例えば、特許文献１には、ヒドラジド化合物、アデニン硫酸塩、及び陽イオン性アミノ変性シリコーンを含む消臭剤は、常温だけでなく高温の環境下でもアルデヒド系及びアンモニア系の悪臭成分の除去に優れるだけでなく、除去した悪臭成分の再放出が少ないことが報告されている。また、特許文献２には、ヒドラジド化合物と共に、硫酸ヒドロキシルアミン、スメクタイト、及び水を含む消臭剤は、アルデヒドとアンモニアの双方に対して優れた消臭効果を奏し得ることが報告されている。しかしながら、特許文献１及び２では、ヒドラジド化合物による消臭効果の持続性の向上に関しては検討されていない。
【先行技術文献】
【特許文献】
【０００４】
【特許文献１】特開２０１２−１９８７２号公報
【特許文献２】特開２０１０−５０９３号公報
【発明の概要】
【発明が解決しようとする課題】
【０００５】
従来の臭気対策では、消臭が求められる空間に消臭剤を噴霧したり、臭気が付着した物品に消臭剤を噴霧又は塗布したりすることにより、噴霧又は塗布された消臭剤が臭気に直接接触するように使用されている。このように臭気に対して直接噴霧又は塗布される消臭剤では、消臭効果自体が高いことが重要であるが、消臭効果が持続することも望ましい。
【０００６】
一方、臭気対策として、消臭が求められる空間（室内空間、車内空間等）に消臭剤を据え置いて使用することにより、空間内の臭気を除去又は緩和する手法も有効である。また、消臭が求められる空間（室内空間、車内空間等）の構造体（壁、床、天井、ドア等）や当該空間内の製品（カーテン、ソファー等）に消臭剤を付着させて、当該構造体や製品に消臭機能を付加することにより、空間内の臭気を除去又は緩和する手法も有効である。このような方法で空間内の臭気の除去又は緩和を行う場合には、消臭剤が空間内の臭気に対して直接噴霧されないため、消臭成分による消臭効果が持続することが重視される。
【０００７】
このように、消臭剤（特に、空間内に据え置いて使用したり、空間の構造体や空間内の製品に付着させて使用したりする消臭剤）では消臭効果が持続的に奏されることが求められる。
【０００８】
このような状況の下、本発明者は、ヒドラジド化合物を含む消臭剤の持続性について検討を行ったところ、従来のヒドラジド化合物を含む消臭剤では、噴霧又は塗布の直後、或は空間内に据え置いて消臭剤が残存している状態では優れた消臭効果を奏するものの、時間の経過と共に乾燥した状態になると消臭効果が消失し、消臭効果を持続できないことを知見した。
【０００９】
そこで、本発明は、ヒドラジド化合物を含み、消臭効果の持続性に優れた消臭剤を提供することを目的とする。
【課題を解決するための手段】
【００１０】
本発明者は、前記課題を解決すべく鋭意検討を行ったところ、ヒドラジド化合物及び水と共に、多価アルコール、３−メトキシ−３−メチルブタノール、及び／又はポリオキシエチレンアルキルエーテルを含む消臭剤は、ヒドラジド化合物による消臭効果の持続性を飛躍的に向上し得ることを見出した。より具体的には、前記組成の消臭剤は、吸液性部材に含浸させたり、空間の構造体や空間内の製品に付着させたりして使用すると、消臭液に含まれる揮散性の成分が揮発して乾燥状態になっても、消臭効果を持続できることを見出した。本発明は、かかる知見に基づいて更に検討を重ねることにより完成したものである。
【００１１】
即ち、本発明は、下記に掲げる態様の発明を提供する。
項１．  (A)ヒドラジド化合物、(B)多価アルコール、３−メトキシ−３−メチルブタノール、及びポリオキシエチレンアルキルエーテルからなる群より選択される少なくとも１種、並びに(C)水を含む、消臭剤。
項２．  前記(A)成分が、アセトヒドラジド、コハク酸ジヒドラジド、アジピン酸ジヒドラジド、及びカルボヒドラジドよりなる群から選択される少なくとも１種である、項１に記載の消臭剤。
項３．  前記(B)成分が、エチレングリコール、プロピレングリコール、トリエチレングリコール、グリセリン、ブタントリオール、エリトリトール、ペンタエリトリトール、３−メトキシ−３−メチルブタノール、及びポリオキシエチレンアルキルエーテルよりなる群から選択される少なくとも１種である、項１又は２に記載の消臭剤。
項４．  吸液性部材に吸液させて使用される、項１〜３のいずれかに記載の消臭剤。
項５．  消臭が求められる空間の壁に噴霧又は塗布して使用される、項１〜４のいずれかに記載の消臭剤。
項６．  項１〜５のいずれかに記載の消臭剤を用いて消臭を行う、消臭方法。
項７．  項１〜４のいずれかに記載の消臭剤を収容している消臭剤収容部と、
前記消臭剤収容部から供給された前記消臭剤を吸液し、空間の消臭を行う消臭剤吸液部と、
を有する、消臭装置。
項８．  更に、前記消臭剤収容部から供給された消臭剤を貯留する消臭剤貯留部を有し、
前記消臭剤吸液部が、前記消臭剤貯留部から消臭剤を吸い上げて消臭剤を吸液するように構成されている、項７に記載の消臭装置。
項９．  消臭が求められる空間内に項７又は８に記載の消臭装置を設置する、消臭方法。
項１０．  前記消臭剤吸液部が乾燥した状態になっても継続使用する、項９に記載の消臭方法。
項１１．  ヒドラジド化合物を含む消臭剤の消臭効果の持続性向上方法であって、消臭剤に、(A)ヒドラジド化合物、(B)多価アルコール、３−メトキシ−３−メチルブタノール、及びポリオキシエチレンアルキルエーテルからなる群より選択される少なくとも１種、並びに(C)水を配合することを特徴とする、持続性向上方法。
【発明の効果】
【００１２】
本発明によれば、ヒドラジド化合物を含む消臭剤において消臭効果の持続性を向上さることはできる。そのため、本発明の消臭剤は、消臭が求められる空間の構造体や当該空間内の製品空間内の製品に対して噴霧して使用しても、当該構造体や製品において消臭機能を持続させることができ、空間内の悪臭を効果的に除去又は緩和することが可能になる。また、本発明の消臭剤は、吸液性部材に吸液させて使用すると、消臭液に含まれる揮散性の成分が揮散して吸液性部材が乾燥状態になっても、消臭効果を持続させることができる。
【図面の簡単な説明】
【００１３】
【図１】本発明の消臭装置の一実施形態の断面図を示す模式図である。
【図２】本発明の消臭装置の一実施形態の断面図を示す模式図である。
【発明を実施するための形態】
【００１４】
１．消臭剤
本発明の消臭剤は、ヒドラジド化合物（(A)成分と表記することもある）、多価アルコール、３−メトキシ−３−メチルブタノール、及びポリオキシエチレンアルキルエーテルからなる群より選択される少なくとも１種（(B)成分と表記することもある）、並びに水（(C)成分と表記することもある）を含むことを特徴とする。以下、本発明の消臭剤について詳述する。
【００１５】
［(A)ヒドラジド化合物］
本発明の消臭剤は、(A)成分としてヒドラジド化合物を含有する。ヒドラジド化合物とは、１分子中に１個以上のヒドラジド基（−ＮＨ−ＮＨ2）を有する化合物であり、悪臭の原因となっているアルデヒド（ホルムアルデヒド、アセトアルデヒド、イソバレルアルデヒド等）を吸着して消臭する作用を有する化合物である。
【００１６】
本発明で使用されるヒドラジド化合物は、１分子中に１個のヒドラジド基を有するモノヒドラジド化合物、１分子中に２個のヒドラジド基を有するジヒドラジド化合物、又は１分子中に３個以上のヒドラジド基を有するポリヒドラジド化合物のいずれであってもよい。
【００１７】
モノヒドラジド化合物としては、具体的には、アセトヒドラジド、ホルムヒドラジド、カルボヒドラジド、ラウリル酸ヒドラジド、サリチル酸ヒドラジド、プロピオン酸ヒドラジド、ｐ−ヒドロキシ安息香酸ヒドラジド、ナフトエ酸ヒドラジド、３−ヒドロキシ−２−ナフトエ酸ヒドラジド等が挙げられる。
【００１８】
ジヒドラジド化合物としては、具体的には、コハク酸ジヒドラジド、アジピン酸ジヒドラジド、シュウ酸ジヒドラジド、マロン酸ジヒドラジド、グルタル酸ジヒドラジド、ピメリン酸ジヒドラジド、スベリン酸ジヒドラジド、アゼライン酸ジヒドラジド、セバシン酸ジヒドラジド、ドデカン二酸ジヒドラジド、テレフタル酸ジヒドラジド、イソフタル酸ジヒドラジド、酒石酸ジヒドラジド、リンゴ酸ジヒドラジド、イミノジ酢酸ジヒドラジド、イタコン酸ジヒドラジド、ドデカンジヒドラジド、ヘキサデカンジヒドラジド、ナフトエジヒドラジド、ベンゼンジヒドラジド、ピリジンジヒドラジド、シクロヘキサンジヒドラジド、ピロメリット酸ジヒドラジド等が挙げられる。
【００１９】
１分子中に３個以上のヒドラジド基を有するポリヒドラジド化合物としては、具体的には、クエン酸トリヒドラジド、トリニトロ酢酸トリヒドラジド、ニトリロ酢酸トリヒドラジド、シクロヘキサントリカルボン酸トリヒドラジド、エチレンジアミン四酢酸テトラヒドラジド、ナフトエ酸テトラヒドラジド、ポリアクリル酸ヒドラジド等が挙げられる。
【００２０】
これらのヒドラジド化合物は、１種単独で使用してもよく、また２種以上を組み合わせて使用してもよい。
【００２１】
これらのヒドラジド化合物の中でも、消臭効果の持続性をより一層向上させるという観点から、好ましくはモノヒドラジド化合物、ジヒドラジド化合物；更に好ましくはアセトヒドラジド、コハク酸ジヒドラジド、アジピン酸ジヒドラジド、カルボヒドラジドが挙げられる。とりわけ、アセトヒドラジドは、後述する(B)成分によって、消臭効果の持続性が向上するだけでなく消臭効果自体（使用初期の消臭効果）も高まるため、特に好適に使用できる。
【００２２】
本発明の消臭剤における(A)成分の含有量については、使用するヒドラジド化合物の種類、消臭対象、付与すべき消臭効果の程度等に応じて適宜設定すればよいが、例えば、０．１〜２０重量％、好ましくは０．５〜１０重量％、更に好ましくは１〜５重量％が挙げられる。
【００２３】
［(B)多価アルコール、メトキシメチルブタノール、及び／又はポリオキシエチレンアルキルエーテル］
本発明の消臭剤は、(B)成分として、多価アルコール、３−メトキシ−３−メチルブタノール、及び／又はポリオキシエチレンアルキルエーテルを含有する。このように、(B)成分を含有することにより、前記ヒドラジド化合物による消臭効果の持続性を向上させることが可能になる。
【００２４】
(B)成分の内、多価アルコールとしては、例えば、２〜４価のアルコールが挙げられる。多価アルコールとして、具体的には、エチレングリコール、プロピレングリコール、トリエチレングリコール、ジエチレングリコール、トリエチレングリコール、イソプレングリコール等の２価アルコール；グリセリン、ブタントリオール（１，２，３−ブタントリオール、１，２，４−ブタントリオール）等の３価アルコール；エリトリトール、ペンタエリトリトール等の４価アルコールが挙げられる。これらの多価アルコールは、１種単独で使用してもよく、また２種以上を組み合わせて使用してもよい。
【００２５】
(B)成分の内、ポリオキシエチレンアルキルエーテルとは、ポリオキシエチレン鎖がアルキル基とエーテル結合している化合物である。ポリオキシエチレンアルキルエーテル鎖のエチレンオキサイドの平均付加モル数については、特に制限されないが、例えば、２〜３０、好ましくは５〜２０、更に好ましくは８〜１２が挙げられる。ポリオキシエチレンアルキルエーテルを構成するアルキル基は、直鎖状又は分岐状のいずれであってもよい。ポリオキシエチレンアルキルエーテルを構成するアルキル基の炭素数については、特に制限されないが、例えば、８〜２２、好ましくは８〜１４、更に好ましくは８〜１０が挙げられる。ポリオキシエチレンアルキルエーテルとして、具体的には、ＰＯＥオクチルエーテル、ＰＯＥイソオクチルエーテル、ＰＯＥデシルエーテル、ＰＯＥイソデシルエーテル、ＰＯＥラウリルエーテル、ＰＯＥミリスチルエーテル、ＰＯＥセチルエーテル、ＰＯＥイソセチルエーテル、ＰＯＥステアリルエーテル、ＰＯＥイソステアリルエーテル、ＰＯＥアラキジルエーテル、ＰＯＥベヘニルエーテル等が挙げられる。ここで、「ＰＯＥ」はポリオキシエチレン、これらのポリオキシエチレンアルキルエーテルは、１種単独で使用してもよく、また２種以上を組み合わせて使用してもよい。
【００２６】
本発明の消臭剤において、(B)成分として、多価アルコール、３−メトキシ−３−メチルブタノール、及びポリオキシエチレンアルキルエーテルの中から１種を選択して単独で使用してもよく、また、これらの中から２種以上を組み合わせて使用してもよい。
【００２７】
これらの(B)成分の中でも、消臭効果の持続性をより一層向上させるという観点から、好ましくは、エチレングリコール、プロピレングリコール、トリエチレングリコール、グリセリン、ブタントリオール、エリトリトール、ペンタエリトリトール、３−メトキシ−３−メチルブタノール、及びポリオキシエチレンアルキルエーテルが挙げられる。
【００２８】
特に、(A)成分としてアセトヒドラジドを使用する場合であれば、消臭効果の持続性をより一層向上させるという観点から、(B)成分として、好ましくは、エチレングリコール、プロピレングリコール、トリエチレングリコール、グリセリン、３−メトキシ−３−メチルブタノール、及びポリオキシエチレンアルキルエーテル；更に好ましくは、エチレングリコール、トリエチレングリコール、グリセリン、３−メトキシ−３−メチルブタノール、及びポリオキシエチレンアルキルエーテルが挙げられる。また、(A)成分としてコハク酸ジヒドラジドを使用する場合であれば、消臭効果の持続性をより一層向上させるという観点から、(B)成分として、好ましくは、エチレングリコール、プロピレングリコール、トリエチレングリコール、グリセリン、ブタントリオール、エリトリトール、ペンタエリトリトール、３−メトキシ−３−メチルブタノール、及びポリオキシエチレンアルキルエーテル；更に好ましくは、エチレングリコール、プロピレングリコール、トリエチレングリコール、グリセリン、ブタントリオール、エリトリトール、及びペンタエリトリトール；特に好ましくは、グリセリン、ブタントリオール、エリトリトール、及びペンタエリトリトールが挙げられる。また、(A)成分としてアジピン酸ジヒドラジド及び／又はカルボヒドラジドを使用する場合であれば、消臭効果の持続性をより一層向上させるという観点から、(B)成分として、好ましくはグリセリンが挙げられる。
【００２９】
本発明の消臭剤における(B)成分の含有量については、使用する(B)成分の種類、消臭対象等に応じて適宜設定すればよいが、例えば、０．１〜２０重量％、好ましくは０．５〜１０重量％、更に好ましくは１〜１０重量％が挙げられる。
【００３０】
また、本発明の消臭剤において、(A)成分と(B)成分の比率については、例えば、(A)成分１００重量部当たり、(B)成分が１０〜１０００重量部、好ましくは５０〜５００重量部、更に好ましくは１００〜４００重量部が挙げられる。
【００３１】
［(C)水］
本発明の消臭剤は、基剤として水が含まれる。本発明の消臭剤における水の含有量については、前記(A)及び(B)成分、並びに及び必要に応じて添加される他の添加剤の残部であればよいが、例えば、５０重量％以上、好ましくは６０〜９９重量％、更に好ましくは７０〜９７重量％が挙げられる。
【００３２】
［１価低級アルコール］
本発明の消臭剤には、必要に応じて１価低級アルコールが含まれていてもよい。１価低級アルコールとしては、例えば、炭素数２〜５の１価アルコールが挙げられ、より具体的には、エタノール、ｎ−プロパノール、イソプロパノール、ｎ−ブタノール、ｓｅｃ−ブタノール、ｔｅｒｔ−ブタノール、ｎ−アミルアルコール、ｓｅｃ−アミルアルコール、イソアミルアルコール、ｔｅｒｔ−アミルアルコール、ネオペンチルアルコール等が挙げられる。これらの１価低級アルコールは、１種単独で含まれていてもよく、２種以上が組み合わされて含まれていてもよい。
【００３３】
本発明の消臭剤に１価低級アルコールを含有させる場合、その含有量については、特に制限されないが、例えば、１〜３０重量％が挙げられる。
【００３４】
［その他の成分］
本発明の消臭剤には、前述する成分以外に、本発明の効果を妨げないことを限度として、他の添加剤を含有してもよい。このような他の添加剤としては、例えば、他の溶剤、ｐＨ調整剤、防腐剤、抗菌剤、殺菌剤、酸化防止剤、紫外線吸収剤、色素、香料、(A)成分以外の消臭成分、界面活性剤、増粘剤等が挙げられる。
【００３５】
［使用方法］
本発明の消臭剤は、例えば、室内空間、車内空間、ペットの飼育エリア、壁、床、天井、カーテン、ソファー、寝具、ベッド、衣類、靴、革製品、布製品、収納家具（靴箱等）等に存在する悪臭を除去又は緩和する目的で、消臭が求められる空間又は物に適用することにより使用される。
【００３６】
本発明の消臭剤を用いて消臭するには、例えば、開口容器に収容した状態、又は吸液性部材に吸液させた状態で、消臭対象となる空間内又は消臭対象となる製品の近傍に設置すればよい。本発明の消臭剤を吸液させる吸液性部材としては、例えば、綿、植物繊維、パルプ等の天然繊維、レーヨン、ポリエステル、ポリエチレンテレフタレート、ポリプロピレン、ポリエチレン等の合成繊維、又はそれらの混合繊維等の繊維質材料；木片、籐、竹、ソラ等の木質材料；発泡ウレタンの樹脂製スポンジ材料等が挙げられる。また、吸液性部材が繊維質材料で形成されている場合、不織布であることが好ましいが、織物、編物等であってもよい。吸液性部材の形状については、シート状、棒状、紐状、ブロック状等のいずれであってもよい。
【００３７】
本発明の消臭剤を吸液性部材に吸液させて使用する場合、本発明の消臭剤中の揮散性の成分（水等）が揮散して吸液性部材が乾燥した状態になっても、消臭効果が持続するので、乾燥状態の吸液性部材をまま継続して使用することができる。吸液性部材が乾燥した時点から継続使用できる期間については、消臭剤の組成、消臭対象となる空間等に応じて異なるが、例えば、吸液性部材が乾燥した時点から１２０日間程度、好ましくは３０日間程度まで継続使用できる。
【００３８】
また、本発明の消臭剤を用いて空間（室内空間、車内空間等）を消臭する場合、消臭が求められる空間に対して消臭剤を直接噴霧させてもよいが、当該空間の構造体（壁、床、天井、ドア等）や当該空間内の製品（カーテン、ソファー等）に対して消臭剤を噴霧又は塗布してもよい。このように、空間の構造体や空間内の製品に対して消臭剤を噴霧又は塗布することによって、空間の構造体や空間内の製品に消臭機能が付与されて、空間内の悪臭が除去又は緩和される。このように、空間の構造体や空間内の製品に消臭機能を付与して空間の消臭を行う場合、当該構造体や製品に付着した消臭成分の消臭効果が持続することが求められるが、本発明の消臭剤では、消臭効果の持続性が向上しており、かかる要求特性を満たしている。本発明の消臭剤の好適な一態様として、室内空間の消臭のために壁に噴霧又は塗布される消臭剤が挙げられる。なお、空間の消臭のために空間の構造体や空間内の製品に対して本発明の消臭剤を噴霧又は塗布する場合、当該構造体や製品自体は、消臭対象ではないため悪臭が存在していなくてもよい。
【００３９】
本発明の消臭剤の形態については、スプレー型、エアゾール型、据え置き型、清拭シート型等のいずれであってもよい。スプレー型又はエアゾール型の場合であれば、本発明の消臭剤をスプレー容器又はエアゾール容器に収容して、消臭対象となる空間、当該空間の構造物、当該空間内の製品、消臭対象となる製品等に対して、消臭剤を噴霧すればよい。据え置き型の場合であれば、本発明の消臭剤を容器に収容したり、吸液性部材に吸液させたりして空間と接触可能な状態にし、消臭対象となる空間内又は消臭対象となる製品の近傍に置けばよい。清拭シート型の場合であれば、本発明の消臭剤を含浸させた不織布等の布帛で、消臭対象となる物の表面を拭き取ればよい。使用簡便性等の観点から、本発明の消臭剤は、スプレー型、エアゾール型又は据え置き型の態様で使用することが好ましい。
【００４０】
本発明の消臭剤が据え置き型として使用する場合の一実施態様として、本発明の消臭剤を収容する消臭剤収容部と、前記消臭剤収容部から供給された本発明の消臭剤を吸液し、空間の消臭を行う消臭剤吸液部とを有する消臭装置が挙げられる。
【００４１】
前記消臭装置において、消臭液収容部から消臭液吸液部に消臭液を供給するための手段については、特に制限されず、例えば、消臭液収容部中の消臭液に消臭液吸液部の一部を含浸させる方法；消臭液収容部中の消臭液を消臭液吸液部に対して添加させる方法；別途設けられた消臭液貯留部に消臭液収容部から消臭液を供給し、消臭液貯留部中の消臭液に消臭液吸液部の一部を含浸させる方法等が挙げられる。
【００４２】
前記消臭装置の例として、図１に示す消臭装置（以下、「第１の態様」）、及び図２に示す消臭装置（以下、「第２の態様」）が挙げられる。
【００４３】
第１の態様の消臭装置では、本発明の消臭剤を収容する消臭剤収容部１と、前記消臭剤収容部１から供給された消臭剤を貯留する消臭剤貯留部２と、前記消臭剤貯留部２から消臭剤を吸い上げて消臭剤を吸液する消臭剤吸液部３を有している。
【００４４】
第１の態様の消臭装置では、消臭剤収容部１は開口部が下になるように配されており、重力落下によって消臭剤収容部１の開口部から消臭剤貯留部２に消臭剤が供給されるように構成されている。また、第１の態様の消臭装置において、消臭剤収容部１の開口部には、消臭剤の供給速度を制御するための制御弁が設けられていてもよい。
【００４５】
第１の態様の消臭装置において、消臭剤貯留部２は、消臭剤収容部１から供給された消臭剤を貯留するように構成されている。
【００４６】
第１の態様の消臭装置において、消臭剤吸液部３は、その一部が消臭剤貯留部に貯留された消臭剤に含浸するように配され、消臭剤を吸い上げて消臭対象となる空間内の空気と接するように構成されている。
【００４７】
また、第１の態様の消臭装置では、消臭剤吸液部３に対して送風を行う送風部が設けられていてもよい。このような送風部を設けることにより、消臭剤吸液部３に吸液されている消臭剤と空間内の空気とを効率的に接触させることができるため、効率的に消臭することができる。
【００４８】
第１の態様の消臭装置における消臭剤収容部１の素材については、特に制限されず、プラスチック製、ガラス製、陶器製等のいずれであってもよいが、好ましくはプラスチック製が挙げられる。
【００４９】
第１の態様の消臭装置における消臭剤貯留部２の素材についても、特に制限されず、プラスチック製、ガラス製、陶器製等のいずれであってもよいが、好ましくはプラスチック製が挙げられる。
【００５０】
第１の態様の消臭装置における消臭剤吸液部３の素材については、前記吸液性部材と同様であり、例えば、綿、植物繊維、パルプ等の天然繊維、レーヨン、ポリエステル、ポリエチレンテレフタレート、ポリプロピレン、ポリエチレン等の合成繊維、又はそれらの混合繊維等の繊維質材料；木片、籐、竹、ソラ等の木質材料；発泡ウレタンの樹脂製スポンジ材料等が挙げられる。また、消臭剤吸液部３が繊維質材料で形成されている場合、不織布であることが好ましいが、織物、編物等であってもよい。図１において、消臭剤吸液部３の形状は、シート状であるが、棒状、紐状等であってもよい。
【００５１】
前記第２の態様の消臭装置では、開口部を有する消臭剤収容部１と、収容部内の消臭剤を吸い上げて消臭剤を保持する消臭剤吸液部３とを有している。
【００５２】
第２の態様の消臭装置では、消臭剤吸液部３が収容部の開口部から差し込まれ、消臭剤を吸い上げると共に、消臭剤収容部外に露出している消臭剤吸液部３によって空間の消臭が行われるように構成されている。
【００５３】
第２の態様の消臭装置における消臭剤収容部１の素材については、特に制限されず、プラスチック製、ガラス製、陶器製等のいずれであってもよいが、好ましくはプラスチック製が挙げられる。
【００５４】
第２の態様の消臭装置における消臭剤吸液部３の素材については、消臭剤を吸液できることを限度として特に制限されないが、例えば、綿、植物繊維、パルプ等の天然繊維、レーヨン、ポリエステル、ポリエチレンテレフタレート、ポリプロピレン、ポリエチレン等の合成繊維、又はそれらの混合繊維等の繊維質材料；木片、籐、竹、ソラ等の木質材料；発泡ウレタンの樹脂製スポンジ材料等が挙げられる。また、消臭剤吸液部３が繊維質材料で形成されている場合、不織布であることが好ましいが、織物、編物等であってもよい。図２において、消臭剤吸液部３の形状は、シート状であるが、棒状、紐状等であってもよい。
【００５５】
本発明の消臭剤は、揮散性の成分（水等）が揮発して乾燥状態になった後でも消臭効果が持続されるので、前記第１及び２の態様の消臭装置を使用する場合には、消臭剤吸液部から消臭剤の揮散性成分が揮散して乾燥した状態になっても、消臭剤吸液部によって消臭効果が奏されるので、消臭剤の補給、消臭剤吸液部の交換、消臭装置の交換等を行うことなく、乾燥状態の消臭剤吸液部のままで継続して使用することができる。消臭剤吸液部が乾燥した時点から継続使用できる期間については、消臭剤の組成、消臭対象となる空間等に応じて異なるが、例えば、消臭剤吸液部が乾燥した時点から１２０日間程度、好ましくは３０日間程度まで継続使用できる。
【００５６】
２．消臭効果の持続性向上方法
本発明は、更に、ヒドラジド化合物を含む消臭剤の消臭効果の持続性向上方法であて、消臭剤に、(A)ヒドラジド化合物、(B)多価アルコール、３−メトキシ−３−メチルブタノール、及びポリオキシエチレンアルキルエーテルからなる群より選択される少なくとも１種、並びに(C)水を配合することを特徴とする、持続性向上方法を提供する。
【００５７】
当該持続性向上方法において、使用する(A)成分の種類、(B)成分の種類、(A)〜(C)成分の配合量、その他に配合可能な成分、消臭剤の使用方法等については、前記「１．消臭剤」の欄に記載の通りである。
【実施例】
【００５８】
以下に実施例及び比較例を示して本発明を更に詳細に説明するが、本発明はこれらに限定されない。
【００５９】
試験例
表１〜３に示す組成の消臭剤を調製し、以下に示す試験を行い、消臭効果の持続性を評価した。
【００６０】
先ず、各消臭剤０．４ｇを試験用添付白布（綿カナキン３号、５ｃｍ×５ｃｍ、日本規格協会）に滴下して、シャーレの上にのせて、ドライヤーで２０分間送風乾燥（熱風は使用せず）させた後に、室温で６０分間静置した。次いで、前記処理を行った試験用添付白布を、１０Ｌ容のテドラーバックに５Ｌ無臭空気とともに封入した。その後、テドラーバック内にアセトアルデヒドを濃度が約１００ｐｐｍになるように導入した。アセトアルデヒドを導入した時点を０分として、０分と６０分後のテドラーバック内のアセトアルデヒド濃度をガス検知管（アセトアルデヒド９２Ｍ、株式会社ガステック）を用いて測定し、下記式に基づいて、消臭率を算出した。
【数１】
2020096781.tif 000002
【００６１】
なお、本試験では、消臭剤０．４ｇを滴下した試験用添付白布に対して２０分間の送風乾燥と６０分間の静置を行った後に、消臭率を測定しているので、当該消臭率が高い場合には、消臭効果の持続性に優れているといえる。消臭剤０．４ｇを試験用添付白布して、乾燥及び静置をすることなく前記と同条件で消臭率を測定すると、実施例及び比較例の全てにおいて消臭率が３０〜８０％であることが確認されている。
【００６２】
結果を表１〜３に示す。ヒドラジド化合物を単独で含む消臭剤では、２０分間の乾燥と６０分間の静置を行った後には、消臭率が０％であり、ヒドラジド化合物の消臭効果は持続できていなかった（比較例１〜４）。一方、ヒドラジド化合物と共に、多価アルコール、３−メトキシ−３−メチルブタノール又はポリオキシエチレンアルキルエーテルを含む消臭剤では、２０分間の乾燥と６０分間の静置を行った後でも、消臭率が高く、消臭効果の持続性に優れていた（実施例１〜２０）。
【００６３】
なお、アセトヒドラジドを単独で含む消臭剤（比較例１）を用いて乾燥及び静置をすることなく測定した消臭率（初期の消臭率）は３１％であった。これに対して、ヒドラジド化合物としてアセトヒドラジドを使用し、多価アルコール、３−メトキシ−３−メチルブタノール又はポリオキシエチレンアルキルエーテルを含む消臭剤（実施例１〜７）では、２０分間の乾燥と６０分間の静置を行った後の消臭率が３１％以上であった。即ち、実施例１〜７の消臭剤では、多価アルコール、３−メトキシ−３−メチルブタノール又はポリオキシエチレンアルキルエーテルを含むことによって、アセトヒドラジドの消臭効果の持続性が高まることに加え、アセトヒドラジドの消臭効果率（初期の消臭効果）自体も向上していることが確認された。
【００６４】
一方で、コハク酸ジヒドラジドを単独で含む消臭剤（比較例２）を用いて乾燥及び静置をすることなく測定した消臭率（初期の消臭率）は７５％であった。これに対して、ヒドラジド化合物として、コハク酸ジヒドラジドを使用し、（B）成分として多価アルコール、特に、３価以上の多価アルコールを使用した場合（実施例１１〜１５）は、消臭効果の持続性が高まることが確認された。特に（B）成分として、ブタントリオールを使用した場合には持続性が高まることに加えて、消臭効果率の自体も向上していることが確認された。
【００６５】
【表１】
2020096781.tif 000003
【００６６】
【表２】
2020096781.tif 000004
【００６７】
【表３】
2020096781.tif 000005
【符号の説明】
【００６８】
１  消臭剤収容部
２  消臭剤貯留部
３  消臭剤吸液部
４  消臭剤
【図１】
2020096781.tif 000006
【図２】
2020096781.tif 000007